(57)【要約】【課題】基板ケース等のケースを閉止した状態で封印シールにより封印する構成において、封印シールを破壊しなければケースを開放できないようにしたケース封印構造を提供する。【解決手段】ケース封印構造は、ケース本体部材にケース蓋部材を閉止して装着するために本体側封印部１１０に対して蓋側封印部１３０を閉止方向に相対移動させたときに、封印シールカッタ１４０が封印空間１０１内で封印シール１２０の破断を回避しながら開閉移動方向における開放方向から見て封印シール１２０と重なる位置に変位し、ケース本体部材からケース蓋部材を開放するために本体封印部１１０に対して蓋側封印部１３０を開放方向に相対移動させたときに、封印シールカッタ１４０が蓋側封印部１３０とともに開放方向に相対移動されて本体側封印部１１０に貼着された封印シール１２０に当接してこれを破断するように構成される。【選択図】図２２
2012110564.tif 000002
【特許請求の範囲】
【請求項１】
第１ケース部材および前記第１ケース部材に対して開閉可能に装着される第２ケース部材を備えて構成され、前記第１ケース部材に対して前記第２ケース部材を開閉移動方向における閉止方向に相対移動させて閉止状態で保持されるケースであって、
前記第１ケース部材に設けられた第１封印部と、
前記第２ケース部材に設けられ、前記第１ケース部材に前記第２ケース部材を閉止して装着したときに前記第１封印部に近接対向する第２封印部と、
前記第１封印部および前記第２封印部が近接対向した状態において前記第１封印部および前記第２封印部の間に封印空間が形成され、前記封印空間内において前記第１封印部および前記第２封印部のいずれか一方の封印部に貼着される封印シールと、
前記第１封印部および前記第２封印部の他方の封印部に支持されて、前記封印空間内において変位可能に設けられたシール破断部材とを備え、
前記第１ケース部材に前記第２ケース部材を閉止して装着するために前記一方の封印部に対して前記他方の封印部を閉止方向に相対移動させたときに、前記シール破断部材が封印空間内で前記封印シールの破断を回避しながら前記開閉移動方向における開放方向から見て前記封印シールと重なる位置に変位し、
前記第１ケース部材から前記第２ケース部材を開放するために前記一方の封印部に対して前記他方の封印部を開放方向に相対移動させたときに、前記シール破断部材が前記他方の封印部とともに開放方向に相対移動されて前記一方の封印部に貼着された前記封印シールに当接してこれを破断するように構成されたことを特徴とするケース封印構造。
【請求項２】
前記シール破断部材が、前記他方の封印部を開放方向に相対移動させたときに前記封印シールに当接して当該封印シールを破断可能な破断突起と、前記他方の封印部を閉止方向に相対移動させたときに前記封印シールに当接可能な破断突起非形成部とを有し、前記他方の封印部に退避位置と破断位置との間で変位可能に枢結されて、破断位置に常時付勢されるようになっており、
前記他方の封印部を閉止方向に相対移動させたときに、前記シール破断部材は前記破断突起非形成部が前記封印空間内で前記封印シールに当接して前記退避位置側に付勢されることで前記封印シールの破断を回避するように変位し、前記封印シールと離間したときに開放方向から見て前記封印シールと重なる破断位置に変位し、
前記他方の封印部を開放方向に相対移動させたときに、前記シール破断部材は破断位置に保持されて前記一方の部材に貼着された前記封印シールに当接してこれを破断することを特徴とする請求項１に記載のケース封印構造。
【請求項３】
前記封印空間内において前記一方の封印部に前記封印シールが貼着される凸状の台座部が形成されており、前記台座部に開放方向に延びて前記シール破断部材が開放方向に相対移動したときに前記破断突起が通過可能な凹状のシール破壊用溝が形成されていることを特徴とする請求項２に記載のケース封印構造。
【発明の詳細な説明】
【技術分野】
【０００１】
本発明は、遊技機の制御基板等を収容する基板ケース等のケースに対するケース封印構造、さらに詳しくは封印シールを用いたケース封印構造に関する。
【背景技術】
【０００２】
パチンコ機やスロットマシン等の遊技機では、この遊技機の作動を制御する制御基板が設けられている。例えば、パチンコ機では、外枠に対して開閉可能に組み付けられた前枠裏側の収容枠に遊技盤等が装備され、この遊技盤の裏面側に制御基板が取り付けられている。スロットマシンにおいても同様に、フロントマスクの裏面側やキャビネットの内側に制御基板が取り付けられている。これらの制御基板は、賞球もしくはメダルの払出制御、電動役物の開閉制御、リールの回転制御、図柄組み合わせの発生確率制御等、パチンコ機もしくはスロットマシンの作動を制御する基板であり、遊技機の制御ソフトウェアが記録されたＲＯＭが搭載され、この遊技機の作動を制御する中枢制御装置としての役割を有している（例えば、特許文献１を参照）。
【０００３】
このような中枢制御装置としての役割を担う制御基板は偽造ＲＯＭへの差し替え等の不正改造対策として、ともに透明な樹脂材料を用いて形成されたケース本体部材とその前方に開閉可能に装着されるケース蓋部材とからなる基板ケース内に収容され、ケース本体部材に対してケース蓋部材を閉止状態で装着したときに、ケース本体部材の側に形成した係合部とケース蓋部材の側に形成した係合部とが係合連結して基板ケースを閉止状態にロックし、ケース蓋部材（もしくはケース本体部材）とその係合部とを繋ぐ連結部をニッパ等の工具を用いて切り離さない限り基板ケースを開放できないようにする不正開放防止機構（所謂、カシメ構造）が設けられている（例えば、特許文献２を参照）。
【０００４】
また、遊技機の固有情報や、制御基板の識別情報等を記憶させた無線読み取り可能なＩＣタグを有したＩＣタグ封印シールをケース本体部材およびケース蓋部材の境界を跨ぐように貼着してこれを外方から封印シールカバーで包囲し、基板ケースを内部において封印することも知られている（例えば、特許文献３を参照）。このようにＩＣタグ封印シールを用いると、制御基板を基板ケース内に入れてカシメ構造により閉止保持するだけでなく、基板ケースを開放するためにＩＣタグ封印シールを剥がそうとすると当該封印シールが破壊されて情報を読み取ることが出来なくなるので、外部から不正なアクセスがあった場合の痕跡を残すことができ、より確実な不正開放対策が可能となる。さらに、外部からＩＣタグに記憶された情報を読み取って制御基板の識別等を行えるという利点もある。
【先行技術文献】
【特許文献】
【０００５】
【特許文献１】特開２００９−１８３７８８号公報
【特許文献２】特開２００４−６５２８０号公報
【特許文献３】特開２００９−２６１６４０号公報
【発明の概要】
【発明が解決しようとする課題】
【０００６】
このように封印シール、特にＩＣタグ封印シールは、不正開放対策及び種々の情報の記憶・読み取り機能という便利な機能を有するのであるが、これが巧妙化した手口により不正に剥がされて再使用されると基板ケースそのものを交換するような不正改造を却って発見しにくくなるという問題がある。そのため、基板ケースを開放するときに封印シールを破壊するような構成、すなわち、封印シールを破壊しなければ基板ケースを開放することができないような構造が望まれる。
【０００７】
本発明は、このような課題に鑑みてなされたものであり、基板ケース等のケースを閉止した状態で封印シールにより封印する構成において、封印シールを破壊しなければケースを開放できないようにしたケース封印構造を提供することを目的とする。
【課題を解決するための手段】
【０００８】
このような目的達成のために、本発明に係るケース封印構造は、第１ケース部材（例えば、実施形態におけるケース本体部材５０）およびこの第１ケース部材に対して開閉可能に装着される第２ケース部材（例えば、実施形態におけるケース蓋部材６０）を備えて構成され、第１ケース部材に対して第２ケース部材を開閉移動方向における閉止方向に相対移動させて閉止状態で保持されるケース（例えば、実施形態における主基板ケースＢＣ）であって、第１ケース部材に設けられた第１封印部（例えば、実施形態における本体側封印部１１０）と、第２ケース部材に設けられ、第１ケース部材に第２ケース部材を閉止して装着したときに第１封印部に近接対向する第２封印部（例えば、実施形態における蓋側封印部１３０）と、第１封印部および第２封印部が近接対向した状態において第１封印部および第２封印部の間に封印空間が形成され、この封印空間内において第１封印部および第２封印部のいずれか一方の封印部に貼着される封印シール（例えば、実施形態におけるＩＣタグ封印シール１２０）と、第１封印部および第２封印部の他方の封印部に支持されて封印空間内において変位可能に設けられたシール破断部材（例えば、実施形態における封印シールカッタ１４０）とを備え、第１ケース部材に第２ケース部材を閉止して装着するために一方の封印部に対して他方の封印部を閉止方向に相対移動させたときに、シール破断部材が封印空間内で封印シールの破断を回避しながら開閉移動方向における開放方向から見て封印シールと重なる位置に変位し、第１ケース部材から第２ケース部材を開放するために一方の封印部に対して他方の封印部を開放方向に相対移動させたときに、シール破断部材が他方の封印部とともに開放方向に相対移動されて前記一方の封印部に貼着された封印シールに当接してこれを破断するように構成される。
【０００９】
上記構成のケース封印構造によれば、第１封印部と第２封印部との間の封印空間内において、一方の封印部に封印シールが貼着され、他方の封印部にシール破断部材が変位可能に設けられて、第１ケース部材から第２ケース部材を開放するために一方の封印部に対して他方の封印部を開放方向に相対移動させたときに、シール破断部材が他方の封印部とともに開放方向に相対移動されて一方の封印部に貼着された封印シールに当接してこれを破断するように構成されることで、封印シールを破壊することなくケースを開放することができない構造となるため、ケースに対する不正アクセスの痕跡を残存させることが可能であるとともに、封印シールが不正に再使用されることを確実に防止できる。また、従来技術では第１封印部および第２封印部の境界に跨って封印シールが貼り付けられこれを外方から包囲するように封印シールカバーが装着される構成が多用されているが、本構成では、このような外付けの封印シールカバーを別途設けることなく、第１封印部と第２封印部とだけで封印シールを外部に対して非露出状態で保持する封印空間が形成されているため、部品点数の削減による製造コストの低減およびケース全体の小型軽量化を図ることも可能である。特に、ケースを構成する部品点数の増加は不正行為の隠蔽を招来したり、不正行為の発見を遅延させたりする要因ともなり兼ねないため、不正行為に対する厳重な抑止策としても効果的である。
【００１０】
なお、上述の発明において、シール破断部材が、他方の封印部を開放方向に相対移動させたときに封印シールに当接して当該封印シールを破断可能な破断突起と、他方の封印部を閉止方向に相対移動させたときに封印シールに当接可能な破断突起非形成部（例えば、実施形態における平坦部１４４）とを有し、他方の封印部に退避位置と破断位置との間で変位可能に枢結されて、破断位置に常時付勢されるようになっており、他方の封印部を閉止方向に相対移動させたときに、シール破断部材は破断突起非形成部が封印空間内で封印シールに当接して退避位置側に付勢されることで封印シールの破断を回避するように変位し、封印シールと離間したときに開放方向から見て封印シールと重なる破断位置に変位し、他方の封印部を開放方向に相対移動させたときに、シール破断部材は破断位置に保持されて一方の部材に貼着された封印シールに当接してこれを破断することが好ましい。
【００１１】
この態様では、他方の封印部を閉止方向に相対移動させたときに、シール破断部材は破断突起非形成部が封印空間内で封印シールに当接して退避位置側に付勢されることで封印シールの破断を回避するように揺動変位し、その後で封印シールと離間したときに自重によって開放方向から見て封印シールと重なる破断位置に揺動変位することが可能になる点が好ましい。このような構成によれば、特別な作動手段を必要とせずにシール破断部材を退避位置と破断位置との間で揺動変位させることができるため、意図しない不作動や誤作動によってシール破断部材が封印シールを押圧破断する事態を回避できるとともに、より簡素化された構造とすることが可能である。
【００１２】
また、上述の発明において、封印空間内において一方の封印部に封印シールが貼着される凸状の台座部が形成されており、この台座部に開放方向に延びてシール破断部材が開放方向に相対移動したときに破断突起が通過可能な凹状のシール破壊用溝が形成されていることが好ましい。
【００１３】
この態様では、封印シールが貼着される台座部に、シール破断部材が開放方向に相対移動したときに破断突起が通過可能となる凹状のシール破壊用溝が形成されている点が好ましい。このような構成によれば、シール破断部材が他方の封印部とともに開放方向に相対移動したときに、シール破壊用溝が破断突起の通過路となるため、破断突起が台座部と干渉して折損することなく封印シールを確実に破壊しながらシール破壊用溝を通過することが可能である。
【発明の効果】
【００１４】
本発明に係るケース封印構造によれば、封印シールを破壊することなくケースを開放することができない構造となるので、不正行為の予防および早期発見に寄与することが可能である。
【図面の簡単な説明】
【００１５】
【図１】本発明に係るケース封印構造を適用したケース封印部を備えるパチンコ機の正面図である。
【図２】上記パチンコ機の背面図である。
【図３】上記パチンコ機に備えられる主制御基板ユニットを示す斜視図である。
【図４】上記主制御基板ユニットを示す分解斜視図である。
【図５】上記主制御基板ユニットの主基板ケースにおいて、ケース本体部材に対するケース蓋部材の取り付け状態を説明するための模式図である。
【図６】上記主基板ケースに設けられる不正開放防止機構を示す斜視図である。
【図７】不正開放防止機構を構成する本体側係止部を示す斜視図である。
【図８】不正開放防止機構を構成する蓋側係止部を示す斜視図である。
【図９】不正開放防止機構を構成するロック部材を示す斜視図である。
【図１０】第１実施形態のケース封印部を取り出して示す分解斜視図である。
【図１１】上記ケース封印部を示す断面図である。
【図１２】上記ケース封印部を構成する本体側封印部およびこれに貼着されるＩＣタグ封印シールを示す斜視図である。
【図１３】ＩＣタグ封印シールを示す正面図である。
【図１４】上記ケース封印部を構成する蓋側封印部を後方から見た斜視図である。
【図１５】上記ケース封印部を構成する蓋側封印部を前方から見た斜視図である。
【図１６】蓋側封印部の側面図である。
【図１７】図１６における矢印XVII−XVIIに沿って示す断面図である。
【図１８】図１６における矢印XVIII−XVIIIに沿って示す断面図である。
【図１９】上記ケース封印部を構成する封印シールカッタを示す斜視図である。
【図２０】ケース本体部材にケース蓋部材を取り付けるときの、上記ケース封印部における本体側封印部に対する蓋側封印部の作動を説明するための斜視図（部分断面図）である。
【図２１】ケース本体部材にケース蓋部材を取り付けるときの、上記ケース封印部における本体側封印部に対する蓋側封印部の作動を説明するための斜視図（部分断面図）である。
【図２２】ケース本体部材に対してケース蓋部材を取り付けた状態における上記ケース封印部を示す斜視図（部分断面図）である。
【図２３】ケース本体部材からケース蓋部材を取り外すときの、上記ケース封印部における本体側封印部に対する蓋側封印部の作動を説明するための斜視図（部分断面図）である。
【図２４】第２実施形態のケース封印部を取り出して示す分解斜視図である。
【図２５】第２実施形態のケース封印部を構成する本体側封印部を示す斜視図である。
【図２６】第２実施形態のケース封印部を構成する蓋側封印部を図２４の矢印XXVI−XXVIに沿って示す断面図である。
【図２７】第２実施形態における蓋側封印部のロック部を示す要部断面図である。
【図２８】第２実施形態においてケース本体部材にケース蓋部材を取り付けるときの、ケース封印部における封印シールカッタの動きを示す模式図である。
【図２９】第２実施形態においてケース本体部材からケース蓋部材を取り外すときの、ケース封印部における封印シールカッタの動きを示す模式図である。
【図３０】第２実施形態のケース封印部の変形例である。
【発明を実施するための形態】
【００１６】
以下、本発明の好ましい実施形態について図面を参照して説明する。本発明に係るケース封印構造が適用される遊技機の代表例としてパチンコ機ＰＭの正面図および背面図を図１および図２に示しており、先ずこの図を参照してパチンコ機ＰＭの全体構成について概要説明する。
【００１７】
パチンコ機ＰＭは、図１に示すように、外郭方形枠サイズに構成されて縦向きの固定保持枠をなす外枠１の開口前面に、これに合わせた方形枠サイズに構成されて開閉搭載枠をなす前枠２が互いの正面左側縁部に配設された上下のヒンジ機構３ａ，３ｂにより横開き開閉および着脱が可能に取り付けられ、正面右側縁部に設けられたダブル錠と称される施錠装置４を利用して常には外枠１と係合連結された閉鎖状態に保持される。
【００１８】
前枠２の前面側には、前枠２の上部前面域に合わせた方形状のガラス扉５および球皿ユニット６が正面左側部に設けられたヒンジ機構７ａ，７ｂ，７ｃを利用して横開き開閉および着脱可能に組み付けられ、施錠装置４を利用して常には前枠２の前面を覆う閉鎖状態に保持される。球皿ユニット６の正面右側下部には遊技球の発射操作を行う発射ハンドル８が設けられている。ガラス扉５の背後に位置する前枠２の上部には、遊技盤１０を着脱可能に収容する方形枠状の収容枠（図示しない）が設けられており、この収容枠に所定のゲージ設定で構成された遊技盤１０が着脱可能にセット保持され、常には閉鎖保持されるガラス扉５を通して遊技盤１０の正面の遊技領域ＰＡを臨ませるようになっている。
【００１９】
図１では詳細な図示を省略しているが、遊技盤１０は、ルータ加工等を施した矩形状の積層合板に、所定の図柄が印刷されたセルを貼り付けて成型される化粧板を基板とし、上下のレール飾りに囲まれて略円形状の遊技領域ＰＡが形成される。遊技領域ＰＡには、多数本の遊技釘、風車、中央飾り、遊技の進行状況に応じて所定の画像が表示される液晶表示装置、各種入賞具などの遊技構成部品が設けられ、遊技領域ＰＡの下端部には入賞具に落入することなく落下した遊技球を裏面側に排出するためのアウト口が遊技盤１０を前後に貫通して形成されている。
【００２０】
前枠２の裏面側には、図２に示すように、外枠１の内寸サイズよりも幾分小さめの矩形枠状に形成された裏セット盤２０が着脱可能に取り付けられている。裏セット盤２０は、遊技盤１０の背後に位置する上部領域に、遊技盤１０の裏面側に突出する画像表示装置や主制御基板３２（主制御基板ユニット４０）、演出制御基板（演出制御基板ユニット）３３等を挿通させるために前後連通して開口する大型の窓口開口２０ａを有する枠状に形成されており、この窓口開口２０ａの上方に、遊技球を貯留する球貯留タンク２１、及び球貯留タンク２１と繋がってゆるく傾斜するタンクレール２２が設けられ、背面視における窓口開口２０ａの右側に、タンクレール２２により前後各１列の整列状態で導かれた遊技球を遊技盤１０における入賞状態に基づいて払い出す球払出装置２３、この球払出装置２３から払い出された遊技球を球皿ユニット６の球皿に導く球払出通路２４などの賞球機構が設けられている。
【００２１】
また、裏セット盤２０の背面側には、パチンコ機各部に電力を供給する電源基板（電源基板ユニット）３１、遊技球発射装置の制御とともに遊技球の払い出しに関する制御を行う払出制御基板（払出制御基板ユニット）３４などが取り付けられている。また、裏セット盤２０の窓口開口２０ａ内に位置して遊技盤１０の背面側には、パチンコ機ＰＭにおける制御の中枢を担う主制御基板３２（主制御基板ユニット４０）、遊技展開に応じた画像表示、効果照明、効果音等の演出の制御を行う演出制御基板（演出制御基板ユニット）３３などが取り付けられ、これらの制御基板とパチンコ機ＰＭ各部の電気・電子部品がコネクタケーブルで接続されてパチンコ機ＰＭが作動可能に構成されている。
【００２２】
以上のように構成されるパチンコ機ＰＭは、外枠１が遊技施設の遊技島（設置枠台）に固定設置され、前枠２、ガラス扉５、球皿ユニット６等が閉鎖施錠された状態で遊技に供され、球皿ユニット６の球皿に遊技球を貯留させて発射ハンドル８を回動操作することにより遊技が開始される。発射ハンドル８が回動操作されると、球皿ユニット６の球皿に貯留された遊技球が、球皿ユニット６の背面側に配設される球送りカセットによって１球ずつ遊技補助盤のガイドホルダに送り出され、発射機構のハンマーにより遊技領域ＰＡに打ち出されてパチンコゲームが展開される。
【００２３】
以上のように概要構成されるパチンコ機ＰＭにあって、前述の主制御基板３２を有して構成される主制御基板ユニット４０に本発明に係るケース封印構造が適用されており、以下においては、この主制御基板ユニット４０について説明する。それでは先ず、図３〜図９を追加参照して、主制御基板ユニット４０の全体構成について説明する。ここで、図３は主制御基板ユニット４０を示す斜視図、図４は主制御基板ユニット４０を示す分解斜視図、図５はケース本体部材に対するケース蓋部材の取り付け状態を説明するための模式図、図６は主基板制御基板ユニット４０に設けられる不正開放防止機構を示す斜視図、図７は不正開放防止機構における本体側係止部を示す斜視図、図８は不正開放防止機構における蓋側係止部を示す斜視図、図９は不正開放防止機構におけるロック部材を示す斜視図である。
【００２４】
主制御基板ユニット４０は、パチンコ機ＰＭの作動を統括的に制御する主制御基板３２と、主制御基板３２を内部に収容する主基板ケースＢＣとを主体に構成されている。さらに、主基板ケースＢＣは、遊技盤１０の背面側に着脱されるケース本体部材５０と、このケース本体部材５０に着脱自在に取り付けられるケース蓋部材６０とから構成される。なお、以降の説明においては、説明の便宜上、パチンコ機ＰＭへの取付状態での方向として、図４の状態を基準にして、図４に示す矢印の方向をそれぞれ前後、左右、上下方向と称して説明する。
【００２５】
主制御基板３２は、図４に示すように、基板表面の中央部に配設されたＣＰＵ３２ａ及び左右に配設された接続コネクタ３２ｂ等の電子部品を有して構成され、その裏側面が銅箔に半田付けされたリフロー面となり、このリフロー面がケース本体部材４０の底部に対向している。この制御基板３２の縁部近傍４箇所には位置決めピン３２ｃが形成され、ケース蓋部材６０の内面側に穿設されたピン孔（図示せず）と嵌合するようになっており、主制御基板３２がピン嵌合状態においてケース蓋部材６０の内面側に小ネジ等により固定される。
【００２６】
ケース本体部材５０は、前面側に開口を有する矩形箱状の形状を有しており、ＡＢＳ樹脂やポリカーボネート（ＰＣ）等の透明な材料を用いて射出成形等の成形手段により一体的に形成される。このケース本体部材５０の内面側底部５１には、図４に示すように、補強リブ５１ａが縦横に格子状に形成されており、ケース本体部材５０の強度を向上させている。また、ケース本体部材５０の上下の側壁部（図４においては、底部５１の上下の縁部から前方に向けて立設する側壁部）５３，５３の外方それぞれには、底部５１から前方に突出する係止突起５４が複数形成されている。
【００２７】
ケース蓋部材６０は、ケース本体部材５０の開口を覆う矩形箱状の形状を有しており、ＡＢＳ樹脂やポリカーボネート（ＰＣ）等の透明な樹脂材料を用いて射出成形等の成形手段により一体的に形成される。ケース蓋部材６０には、表裏貫通するコネクタ挿抜口６２が複数形成されており、図３等に示すように、主制御基板３２がケース蓋部材６０に取り付けられた状態で、主制御基板３２の接続コネクタ３２ｂがコネクタ挿抜口６２を介して外部に露出するようになっている。
【００２８】
ケース蓋部材６０の上下方向縁部から後方に向けて立設する上下の側壁部６３，６３のそれぞれには、この側壁部６３が延びる方向（左右方向）に沿って後面側に開口しケース本体部材５０の係止突起５４を挿入可能な蓋部材取付溝６４（図５を参照）が形成されている。蓋部材取付溝５４内にはケース本体部材５０の係止突起５４と係合可能な係止壁部６５（図５を参照）が形成されており、この係止壁部６５は、上述の係止突起５４と同じ数だけ形成され、その配置間隔も係止突起５４と対応している。
【００２９】
このような主基板ケースＢＣにおいて、ケース本体部材５０に対してケース蓋部材６０を取り付けるには、まず図５（Ａ）に示すように、ケース本体部材５０及びケース蓋部材６０を左右方向にずらした状態で対向させ、続いて図５（Ｂ）に示すように、ケース蓋部材６０の蓋部取付溝６４にケース本体部材５０の係止突起５４を挿入した後、図５（Ｃ）に示すように、ケース蓋部材６０を左右方向（図５においては右方向）にスライド移動させて係止突起５４と係止壁部６５とを係合させる。これにより、ケース蓋部材６０はケース本体部材５０に対して後方への移動（ケース本体部材５０からケース蓋部材６０を取り外すための移動）が規制される。また、ケース本体部材５０の右端側には本体側仮止部５６が形成され、ケース蓋部材６０の右端部には蓋側仮止部６６が形成されており、ケース本体部材５０にケース蓋部材６０が取り付けられたときに、本体側仮止部５６と蓋側仮止部６６との位置が一致して係合された状態になり、ケース蓋部材６０をケース本体部材５０に対して左方向へ移動させることを規制している。ここで、ケース本体部材５０及びケース蓋部材６０は、上述のように共に樹脂材料で形成されており、これらの本体側仮止部５６及び蓋側仮止部６６は薄肉状に形成されているため、容易に撓めることができる。そのため、蓋側仮止部６６を本体側仮止部５６から離間させるように撓めることにより本体側仮止部５６と蓋側仮止部５６との係合は解除され、ケース本体部材５０に対してケース蓋部材６０を左方にスライド移動して、このケース蓋部材６０をケース本体部材５０から取り外すことができる。
【００３０】
このようにして、ケース蓋部材６０がケース本体部材５０の開口を覆う閉止状態で装着されている状態では、本体側仮止部５６と蓋側仮止部６６とが係合しているだけであり、
ケース本体部材５０からケース蓋部材６０を取り外すことは容易である。そこで、閉止状態にあるケース蓋部材６０をケース本体部材５０に対して左方向（開放方向）にスライド移動できなくして、主基板ケースＢＣが不正に開放されるような不正操作を防止するために、主基板ケースＢＣには不正開放防止機構７０が設けられている。
【００３１】
この不正開放防止機構７０は従来から知られている構成であり、種々の構成が適宜用いられているが、本実施形態では、図４等に示すように、ケース本体部材５０の右側壁に設けられた本体側係合部５７と、ケース蓋部材６０の右側壁に連結部６１を介して設けられた蓋側係合部６７と、本体側係合部５７と蓋側係合部６７とを連結させるためのロック部材８０とを備えて構成される不正開放防止機構を例示する。
【００３２】
本体側係合部５７は、ケース本体部材５０に一体的に設けられて矩形箱状に形成されており、その中心にはロック部材８０が嵌入される円孔状の本体側受容孔５８が穿設されている。この本体側受容孔５８は、ロック部材８０よりも幾分大きな孔径の導入孔５８ａと、この導入孔５８ａと繋がって導入孔５８ａよりも大きな孔径の係合孔５８ｂとからなる段付き孔として形成され、これら導入孔５８ａと係合孔５８ｂとの段差部に平坦な規制壁５８ｃが形成される。
【００３３】
蓋側係合部６７は、ケース蓋部材６０に一体的に設けられて矩形ブロック状に形成されており、その中心には導入孔５８ａとほぼ同一の孔径に形成されてロック部材８０が嵌入される円孔状の蓋側受容孔６８が表裏貫通して穿設されている。この蓋側受容孔６８には、後述するロック部材８０のロックピン８５のピン径よりも幾分大きな溝幅で、その溝底面が蓋側受容孔６８の内側へ向かって傾斜する凹溝状のピン案内溝６８ａが形成されている。
【００３４】
ロック部材８０は、図９に示すように、前後に延びる円筒状の軸部８２およびこの軸部８２の基端部に設けられ軸部８２よりも大径の円盤状に形成された操作部８３を有するロック本体８１と、軸部８２に貫通形成されたピン収容孔８４内においてロック本体８１の中心軸（円筒軸）と直交方向に進退自在に支持されたロックピン８５とを備えて構成されている。ロックピン８５は、このピンの軸方向に所定範囲で摺動自在にピン収容孔内８４に支持され、常にはピン収容孔８４内に設けられたコイルバネ（図示せず）のバネ力によってピン先端部が軸部８２外方へ突出するように付勢配設されている。このロックピン８５の長さは軸部８２の直径よりも短く、ロックピン８５の先端部を軸部８２内方へ押し込んだ状態では、ロックピン８５全体がピン収容孔８４内に収まるようになっている。
【００３５】
なお、このロック部材８０は、１組の本体側係合部５７および蓋側係合部６７に対して１つ使用されることになるが、本実施形態で例示するように主基板ケースＢＣに２組の本体側係合部５７，５７および蓋側係合部６７，６７が設けられる構成においては、合計２つのロック部材８０，８０が必要である。そのため、ロック部材８０を用いていずれか１組の本体側係合部５７と蓋側係合部６７とを係合させる際に、次回使用される未使用のロック部材（予備のロック部材）８０を収容しておくために、主基板ケースＢＣの右端部には予備ロック部材収容部９０が設けられている。この予備ロック部材収容部９０は、ケース本体部材５０の右端部に一体に形成された矩形箱形状の本体側収容部５９と、ケース蓋部材６０の右端部に一体に形成された側断面視コ字状の蓋側収容部６９とを主体として、その内部に予備のロック部材８０を収納可能に構成されている。
【００３６】
このように構成される不正開放防止機構７０を利用して主基板ケースＢＣをロック保持させるには、前述したようにケース本体部材５０にケース蓋部材６０を閉止状態で装着し、本体側係合部５７と蓋側係合部６７とを前後に対向して重ね合わせたところで、ロック部材８０を蓋側受容孔６８および本体側受容孔５８に挿入して蓋側係合部６７および本体側係合部５７と係合させることで行われる。ロックピン７０を両受容孔５７，６８に挿入するには、ロック部材８０のロックピン８５を蓋側受容孔６８のピン案内溝６８ａに位置整合させて、ロック部材８０を蓋側受容孔６８の開口から内部へまっすぐ挿入していく。すると、ロックピン８５がピン案内溝６８ａの溝底面（傾斜面）に摺接してこの傾斜面の作用を受けて軸部８２のピン収容孔８４内に押し込まれ、本体側受容孔５８内に達したときにはロックピン８５の先端が軸部８２の外周面と略面一となる位置まで後退する。そして、ロック部材８０を更に挿入していき、ロックピン８５が本体側受容孔５８において導入孔５８ａから係合孔５８ｂまで至ると、ロックピン８５の先端部が係合孔５８ｂ内において解放されコイルバネのバネ力によって軸部８２外方へ押し出され、このロックピン８５の先端部が導入孔５８ａと係合孔５８ｂとの間の規制壁５８ｃと係合する。
【００３７】
そのため、ロック部材８０は、ロックピン８５と規制壁５８ｃとの係合により後方（抜去方向）への移動が規制されるとともに、操作部８３と蓋側係合部６７との当接により前方への移動が規制された位置（これを「ロック位置」と称する）に保持される。こうしてロック部材８０が蓋側受容孔６８および本体側受容孔５８に挿入されてロック位置に保持された状態では、ケース蓋部材６０がケース本体部材５０に対して左右にスライド移動できなくなり、ケース本体部材５０にケース蓋部材６０が図３に示すように閉止した状態で取り外し不能に連結される。なお、この状態から主基板ケースＢＣを開放するには、ケース蓋部材６０と蓋側係合部６７との間を繋ぐ連結部６１を切断し、本体側係合部５７と係合連結された状態の蓋側係合部６７をケース蓋部材６０から切り離せばよい。
【００３８】
このように概要構成される不正開放防止機構７０とともに、主基板ケースＢＣには本発明を適用したケース封印部が設けられており、先ずはケース封印部の第１の実施形態について、図１０〜図１９を参照して以下に詳しく説明する。ここで、図１０はケース封印部１００を取り出して示す分解斜視図、図１１はケース封印部１００を示す断面図、図１２は上記ケース封印部１００を構成する本体側封印部およびこれに貼着されるＩＣタグ封印シールを示す斜視図、図１３はＩＣタグ封印シールを示す正面図、図１４は上記ケース封印部１００を構成する蓋側封印部を後方から見た斜視図、図１５は蓋側封印部を前方から見た斜視図、図１６は蓋側封印部の側面図、図１７は図１６における矢印XVII−XVIIに沿って示す断面図、図１８は図１６における矢印XVIII−XVIIIに沿って示す断面図、図１９は上記ケース封印部１００を構成する封印シールカッタを示す斜視図である。なお、これらの図を参照する説明を分かりやすくするため、便宜的に図１０に示す矢印の方向をそれぞれ前後、左右、上下方向と規定して説明する。これらの方向は図４に示したパチンコ機への取り付け状態での方向に対応するが、本発明のケース封印構造がこの方向により規定されるものではない。
【００３９】
ケース封印部１００は、ケース本体部材５０に一体的に繋がって形成された本体側封印部１１０と、ケース蓋部材６０に一体的に繋がって形成された蓋側封印部１３０とを主体に構成される。本体側封印部１１０および蓋側封印部１３０は、ケース本体部材５０にケース蓋部材６０が図３に示すように閉止された状態で互いに近接対向するようになっており、この対向状態において本体側封印部１１０と蓋側封印部１３０との間に封印空間１０１が画成される。なお、本体側封印部１１０および蓋側封印部１３０は、それぞれケース本体部材５０およびケース蓋部材６０に一体的に繋がって構成されているが、図１０〜図１９においては、本体側封印部１１０および蓋側封印部１３０を切り離した状態でこれらのみを取り出して示す。
【００４０】
本体側封印部１１０は、矩形平板状の上下端部１１１，１１１と、これら上下端部１１１，１１１を繋ぐ底壁部１１２と、上下端部１１１，１１１に跨って底壁部１２１から後方に凸設される台座部１１３とを有して構成され、全体として後方に開放した側断面視コ字状に形成されている。台座部１１３におけるコ字状に屈曲した外面（左右の側面および後面）は後述するＩＣタグ封印シール１２０を貼着するためのシール貼着面１１３ａをなし、このシール貼着面１１３ａの中央を分断するように台座部１１３の上下方向中間には左右に延びる凹状のシール破壊用溝１１４が形成されている。シール破壊用溝１１４は、後方および左右側方に開口する直線状の溝であり、後述する封印シールカッタ１４０の移動を許容するための通過路となる。
【００４１】
図１２に示すように、台座部１１３のシール貼着面１１３ａに亘ってＩＣタグ封印シール１２０が図示のようにコ字状に折り曲げられるようにして貼着されるようになっており、その結果、台座部１１３のシール破壊用溝１１４はその左右および後方に開放された開口がＩＣタグ封印シール１２０によって覆われて外方から隠蔽される。なお、本実施形態では、このようにＩＣタグ封印シール１２０を台座部１１３に（シール破壊用溝１１４の全体を隠蔽するように）コ字状に折曲して貼着する形態を例示しているが、台座部１１３のいずれかの外表面（後面、左側面、右側面）に平面的に貼着する形態でもよく、シール破壊用溝１１４の少なくとも一部分を隠蔽するように台座部１１３の外表面に貼着されるものであれば特に限定されない。
【００４２】
ＩＣタグ封印シール１２０は、図１３に示すように、矩形シート状のシート部材１２１に、ＩＣタグ１２２およびこれに繋がるアンテナ線１２３が透明な樹脂フィルム１２４によって覆われた状態で貼り付けられて構成されており、紙製のシート部材１２１の表面には識別情報としてのシリアル番号（図示せず）がプリントされている。ＩＣタグ１２２はシート部材１２１の略中央に配置され、アンテナ線１２３はシール部材１２１の一方の対角線に沿って配置されている。ＩＣタグ１２２は、パチンコ機ＰＭに関する情報、主制御基板３２の識別情報等、種々の情報を記憶した非常に小さな電子素子であり、これに繋がって配設されたアンテナ線１２３を介して主基板ケースＢＣの外部からこれら情報を読み取り可能となっている。
【００４３】
また、シール部材１２１の外縁にはギザギザ状の切り込み１２１ａが規則的に形成され、このシール部材１２１を剥がすときに切り込み１２１ａの凹部に応力集中が生じて破断され易いようになっている。一方、樹脂フィルム１２４の外周には、直線状の切り込み１２４ａが規則的に形成され、ＩＣタグ封印シール１２０が剥がされたり外力が印加されたときに、この切り込み１２４ａに沿って樹脂フィルム１２４と共にアンテナ線１２３が破断され易く、これにより情報送信が不能になるようにしている。
【００４４】
蓋側封印部１３０は、後壁１３１Ｂと、この後壁１３１Ｂを囲んで前方に延びる上下および左側方の側壁１３１Ｕ，１３１Ｄ，１３１Ｌとを有し、全体として前面および右側面が開放した矩形箱状をなすボディ１３１をベースとして構成されており、蓋側封印部１３０の内寸が本体側封印部１１０の外寸よりも一回り大きく形成されることで、蓋側封印部１３０内に本体側封印部１１０がちょうど収まるようになっている。
【００４５】
後壁１３１Ｂの内面側中央には凹状の逃げ溝１３２が形成されており、それに対応して後壁１３１Ｂの外面側中央はその溝深さの分だけ（肉厚確保のため）外方へ膨出されている。この後壁１３１Ｂの内面側において、この逃げ溝１３２の右脇部には矩形平板状の規制部１３３が垂設されており、逃げ溝１３２および規制部１３３を挟んで上下方向の両脇には所定の間隔をおいて一対の支持アーム１３４，１３４が垂設されている。支持アーム１３４には前方に開放した円孔状の支持孔１３４ａが穿設されており、この支持孔１３４ａに、次述する封印シールカッタ１４０の揺動軸１４１が着脱自在に取り付けられる。
【００４６】
封印シールカッタ１４０は、図１９に示すように、円筒状の揺動軸１４１と、この揺動軸１４１の半径方向外方へ偏倚して形成されたブロック状のカッター本体１４２とを備え、揺動軸１４１が一対の支持アーム１３４，１３４に枢支されて前後方向に揺動自在に構成されている。カッター本体１４２は、台座部１１３におけるシール破壊用溝１１４の溝幅よりも幾分小さく形成されており、台形状に開いた側面には、その上下の両縁部に沿って刃状の破断突起１４３が突出形成され、これとは反対側の側面には破断突起非形成面として平坦部１４４（図１１を参照）が形成されている。破断突起１４３は、その先端１４３ａが鋭角状に形成され、後述するように、ケース本体部材５０からケース蓋部材６０を取り外すときにＩＣタグ封印シール１２０を破壊（破断）する刃物的な役割を果たすようになっている。
【００４７】
次に、このように構成されるケース封印部１００に関し、ケース本体部材５０にケース蓋部材６０を取り付けるときの作動を、図２０〜図２３を追加参照して説明する。ここで、図２０はケース本体部材５０にケース蓋部材６０を取り付けるときの、ケース封印部１００における本体側封印部１１０に対する蓋側封印部１３０の作動を説明するための斜視図（部分断面図）、図２１はケース本体部材５０にケース蓋部材６０取り付けるときの、ケース封印部１００における本体側封印部１１０に対する蓋側封印部１３０の作動を説明するための斜視図（部分断面図）、図２２はケース本体部材５０に対してケース蓋部材６０を取り付けた状態におけるケース封印部１００を示す斜視図（部分断面図）、図２３はケース本体部材５０からケース蓋部材６０を取り外すときの、ケース封印部１００における本体側封印部１１０に対する蓋側封印部１３０の作動を説明するための斜視図（部分断面図）である。
【００４８】
なお、このときには、本体側封印部１１０において、台座部１１３のシール貼着面１１３ａに亘ってＩＣタグ封印シール１２０をコ字状の折り曲げるようにして前もって貼着（接着接合）しておく（図１２を参照）。なお、台座部１１３のコ字状に屈曲する外面（すなわち貼着面１１３ａ）はＩＣタグ封印シール１２０の外表面域に合わせた大きさに形成されており、この外面に合わせてＩＣタグ封印シール１２０を貼着することで、このＩＣタグ封印シール１２０によってシール破壊用溝１１４の全体が覆われて、アンテナ線１２３がシール破壊用溝１１４の真上を横断するように配置される。
【００４９】
一方、蓋側封印部１４０においては、支持アーム１３４の支持孔１３４ａに封印シールカッタ１４０の揺動軸１４１を嵌挿して、前もって封印シールカッタ１４０を支持アーム１３４に取り付けておく。ここで、一対の支持アーム１３４，１３４における支持孔１３４ａ，１３４ａの開放端には外方へ向けて開く一対のテーパ面１３４ｂ，１３４ｂが互いに対向して形成されており、外方から封印シールカッタ１４０の揺動軸１４１をこのテーパ面１３４ｂに押し付けると、支持アーム１３４が支持孔１３４ａの孔径を拡径させるように弾性変形することで、封印シールカッタ１４０の揺動軸１４１を支持孔１３４ａ内に簡単に嵌挿することができるようになっている。こうして封印シールカッタ１４０は支持アーム１３４により枢支された揺動軸１４１を中心として揺動自在な状態となるわけであるが、時計回り方向への揺動はカッター本体１４２が後壁１３１Ｂの逃げ溝１３２の内壁部に当接したところで制限され、反時計回り方向への揺動はカッター本体１４２が規制部に当接したところで制限される。すなわち、封印シールカッタ１４０は、カッター本体１４２が逃げ溝１３２内の内壁部に当接する位置と規制部１３３に当接する位置との間で揺動することが可能である。
【００５０】
既述したように、ケース本体部材５０へのケース蓋部材６０の取り付けは、ケース蓋部材６０をケース本体部材５０に対して左方に若干ずらした位置で後方からケース本体部材５０を覆うように閉止し、且つ右方向にスライド移動させて行われる。このようにケース本体部材５０がケース蓋部材６０に閉止されて取り付けられたときに、ケース本体部材５０の係止突起５４がケース蓋部材６０の係止壁部６５と係合し、ケース蓋部材６０の後方への移動が規制されるとともに、本体側係合部５７と蓋側係合部６７とが前後に重なり合い、この状態でロック部材８０を蓋側受容孔６８および本体側受容孔５８に挿入することで、このロック部材８０を介して本体側係合部５７と蓋側係合部６８とが係合連結し、ケース蓋部材６０がケース本体部材５０に閉止した状態で取り外し不能に連結保持される。
【００５１】
このようにしてケース本体部材５０へのケース蓋部材６０の取り付けを行うときに、ケース封印部１００においては以下のように作動する。まず、ケース蓋部材６０をケース本体部材５０に対して左方に若干ずらした位置で後方からケース本体部材５０を覆うように閉止するときに、本体側封印部１１０に対して蓋側封印部１３０が、図２０（ａ）において矢印Ａで示すように前方に移動して、図２０（ｂ）に示すように蓋側封印部１３０が若干左方にずれた状態で本体側封印部１１０と前後に重なり合う。このとき、封印シールカッタ１４０には、自重により揺動軸回りのモーメントＭが作用し、常に反時計回り方向へ付勢されることになるが、カッター本体１４２の平坦部１４４が後壁１３１Ｂの規制部１３３に当接することで当該揺動が制限され、破断突起１４３の先端１４３ａの刃先線が規制部１３３の延びる方向と平行に、すなわちケース蓋部材６０のスライド移動方向（開閉移動方向）と直交する方向に沿って延びるように配置される。
【００５２】
この状態からケース蓋部材６０をケース本体部材５０に対して右方向（閉止方向）にスライド移動させるのであるが、これにより図２１（ａ）において矢印Ｂで示すように、蓋側封印部１３０がケース蓋部材６０と一体となって右方向に移動されると、封印シールカッタ１４０におけるカッター本体１４２の平坦部１４４がＩＣタグ封印シール１２０の外表面に当接することになる。このときカッター本体１４２の平坦部１４４（破断突起非形成面）は切断機能を持たないため、ＩＣタグ封印シール１２０の外表面に当接しても当該封印シール１２０を破断することはなく、本体側封印部１１０に対する蓋側封印部１３０の相対移動に伴って当該封印シール１２０に押圧されて時計回り方向に揺動する。そして、図２１（ｂ）に示すように、封印シールカッタ１４０の破断突起１４３が後壁１３１Ｂの逃げ溝１３３内に遊挿されて、その先端１４３ａの刃先線が後壁１３１Ｂにほぼ対向した位置（これを「退避位置」と称する）に変位する。
【００５３】
ここで、カッター本体１４２がＩＣタグ封印シール１２０に乗り上げて退避位置に位置したときに、破断突起１４３は逃げ溝１３２内に入り込むだけで後壁１３１Ｂに突き当たることはないため、カッター本体１４２が後壁１３１ＢとＩＣタグ封印シール１２０との間で挟み込まれた状態（揺動運動を規制された状態）で右方へ移動し、カッター本体１４２がＩＣタグ封印シール１２０を押圧破断するような不測の事態を防止している。
【００５４】
さらに蓋側封印部１３０をケース蓋部材６０と一体的に右方向にスライド移動させると、図２３に示すように、本体側封印部１１０とちょうど重なる位置（互いの左端側面が整合する位置）に位置し、この状態で不正開放防止機構７０（ロック部材８０）によりケース本体部材５０とケース蓋部材６０とを結合させるのであるが、ケース封印部１００においては、こうした蓋側封印部１３０の右方への移動に伴って、カッター本体１４２がＩＣタグ封印シール１２０に摺接しながらＩＣタグ封印シール１２０を乗り越えて、カッター本体１４２とＩＣタグ封印シール１２０とが左右方向に所定距離だけ離間したところで、カッター本体１４２が再び自重により生じる揺動軸回りのモーメントＭによって反時計回り方向へ付勢され、後壁１３１Ｂの規制部１３３に当接した位置（これを「破断位置」と称する）に復帰することで、破断突起１４３がケース蓋部材６０（蓋側封印部１３０）のスライド移動方向（開閉移動方向）から見てＩＣタグ封印シール１２０と重なる状態、すなわち、破断突起１４３がその先端１４３ａの刃先線をＩＣタグ封印シール１２０に対向させた状態で保持されることになる。このようにして本体側封印部１１０と蓋側封印部１３０とが前後に重なり合うと、本体側封印部１１０と蓋側封印部１３０とにより囲まれて閉止状態の封印空間１０１が内部に画成される。
【００５５】
以上の説明から分かるように、ケース本体部材５０にケース蓋部材６０を閉止させると、不正開放防止機構７０によりケース本体部材５０とケース蓋部材６０とが係合して閉止状態に保持され、これにより対向配置された本体側封印部１１０および蓋側封印部１３０の内部（封印空間１０１）において本体側封印部１１０の台座部１１３に貼着されたＩＣタグ封印シール１２０が外部に対して非露出状態で保持される。ここで、ＩＣタグ封印シール１２０は、上述のようにＩＣタグ１２２およびアンテナ線１２３を有しており、本体側封印部１１０および蓋側封印部１３０の内部に保持された状態のままで、アンテナ線１２３を介して無線によりＩＣタグ１２２に記憶された各種情報（例えば、パチンコ機ＰＭに関する情報、主制御基板３２の識別情報等）を外部からケース蓋部材６０を開放することなく、読み取り可能である。
【００５６】
次に、このようにケース本体部材５０とケース蓋部材６０とが閉止保持された状態からケース蓋部材６０を開放させる場合について説明する。ケース本体部材５０からケース蓋部材６０を取り外すには、まず、不正開放防止機構７０におけるケース蓋部材６０と蓋側係合部６７との間を繋ぐ連結部６１をニッパ等の工具を用いて切断し、本体側係合部５７と係合連結された状態の蓋側係合部６７をケース蓋部材６０から切り離す。その結果、ケース本体部材５０とケース蓋部材６０との連結は断たれ、且つケース蓋部材６０をケース本体部材５０に対して左方向にスライド移動させる（係止壁部６５を係止突起５４から抜脱する位置に移動させる）ことで、ケース蓋部材６０をケース本体部材５０から取り外すことができる。
【００５７】
このように主基板ケースＢＣを開放させるためにケース蓋部材６０をケース本体部材５０に対して左方向にスライド移動させたときに、ケース封印部１００においては、蓋側封印部１３０に装着された封印シールカッタ１４０によって本体側封印部１１０に保持されたＩＣタグ封印シール１２０が破断されるようになっており、これについて以下に説明する。
【００５８】
ケース本体部材５０とケース蓋部材６０とが閉止保持された状態では、図２２に示すように、封印シールカッタ１４０は破断位置に保持され、破断突起１４３の先端１４３ａ（刃先線）がＩＣタグ封印シール１２０を介在させてシール破壊用溝１１４と近接対向している。この封印シールカッタ１４０の破断位置においては、蓋側封印部１３０のスライド移動方向（ケース蓋部材６０の開放方向）から見て、破断突起１４３の先端１４３ａ（刃先線）とＩＣタグ封印シール１２０とが交差するように重なった状態となっている。図２３に示すように、この状態からケース蓋部材６０と共に蓋側封印部１３０が左方向に（矢印Ｃ方向に）スライド移動されると、蓋側封印部１３０には封印シールカッタ１４０が装着されているので、封印シールカッタ１４０も一体となって左方向にスライド移動される。
【００５９】
その結果、このように蓋側封印部１３０と共に封印シールカッタ１４０を移動させると、破断突起１４３の先端１４３ａが当該スライド移動方向（開放方向）に沿ってＩＣタグ封印シール１２０を破断しながらシール破壊用溝１１４内を通過する。ここで、破断突起１４３の先端１４３ａは鋭角状に形成されており、これがＩＣタグ封印シール１２０を確実に切り裂いて破断突起１４３がシール破壊用溝１１４を通過することになる。このようにＩＣタグ封印シール１２０を破断すれば、ＩＣタグ１２２そのものを破壊できなくてもアンテナ線１２３を破断することになり、ＩＣタグ１２２の情報が読み取り不能になるため、これにより不正アクセスの痕跡を残存させることができるとともに、ＩＣタグ封印シール１２０を再生不能な程度に破壊する（不正に再使用できなくする）ことが可能である。
【００６０】
なお、ＩＣタグ封印シール１２０を破断しているときに、封印シールカッタ１４０は切断抵抗を受けて反時計回り方向に付勢されるが、封印シールカッタ１４０の背面側では平坦部１４４が規制部１３３に当接して当該方向への揺動が制限されているため、封印シールカッタ１４０は切断姿勢（図２３における垂直姿勢）をしっかりと保持してＩＣタグ封印シール１２０を確実に破断可能である。また、この構成に限定されず、封印シールカッタ１４０を破断位置に変位させてからＩＣタグ封印シール１２０を破壊するまで、ＩＣタグ封印シール１２０の切断抵抗や主基板ケースＢＣ自体の姿勢変化などに関わらず、ケース開放方向から見て封印シールカッタ１４０をＩＣタグ封印シール１２０と重なる位置（封印シールカッタ１２０を適正に破断できる位置）に保持するものとして、封印シールカッタ１４０を破断位置に固定するためのカッター固定手段（例えば凹凸嵌合構造等）や、封印シールカッタ１４０が退避位置側（時計回り方向）に揺動退避するのを規制する揺動規制手段（例えばストッパ等）など適宜に適用して構成してもよい。なお、このようなカッター固定手段や揺動規制手段は、本体側封印部１１０と蓋側封印部１３０とが前後に重合され封印シールカッタ１４０が破断位置（図２２に示す状態）に至ったときから、作動を開始するものであってもよい。
【００６１】
そして、ケース蓋部材６０と共に蓋側封印部１３０をそのまま更に左方向にスライド移動させていけば、封印シールカッタ１４０がシール破壊用溝１１４を通過しつつＩＣタグ封印シール１２０を完全に破断してシール破壊用溝１１４の左方の開放端から脱出することになり、蓋側係合部６７の係止壁部６５が本体側係合部５７の係止突起５４から抜脱する所定位置に達したところで、ケース蓋部材６０を後方に移動させることにより、ケース蓋部材６０がケース本体部材５０から取り外される。
【００６２】
以上、第１の実施形態に係るケース封印部１００によれば、本体側封印部１１０と蓋側封印部１３０との間の封印空間１０１内において、本体側封印部１１０にＩＣタグ封印シール１２０が貼着され、蓋側封印部１３０に封印シールカッタ１４０が揺動自在に装着されて、ケース本体部材５０からケース蓋部材６０を開放するために本体側封印部１１０に対して蓋側封印部１３０を開放方向に相対移動させたときに、封印シールカッタ１４０が蓋側封印部１３０とともに開放方向に相対移動されて本体側封印部１１０に貼着されたＩＣタグ封印シール１２０に当接してこれを破断するように構成されることで、ＩＣタグ封印シール１２０を破壊することなく主基板ケースＢＣを開放することができない構造となるため、主基板ケースＢＣに対する不正アクセスの痕跡を残存させることが可能であるとともに、ＩＣタグ封印シール１２０が不正に再使用されることを確実に防止できる。従って、不正行為の予防および早期発見に寄与することができる。
【００６３】
また、従来では本体側封印部および蓋側封印部の境界に跨ってＩＣタグ封印シールが貼り付けられこれを外方から包囲するように封印シールカバーが装着される構成が多用されているが、本実施形態では、このような外付けの封印シールカバーを設けることなく、本体側封印部１１０と蓋側封印部１３０とだけでＩＣタグ封印シール１２０を外部に対して非露出状態で保持する封印空間１０１が形成されているため、部品点数の削減による製造コストの低減およびケース全体の小型軽量化を図ることも可能である。特に、主基板ケースＢＣを構成する部品点数の増加は不正行為の隠蔽を招来したり、不正行為の発見を遅延させたりする要因ともなり兼ねないため、不正行為に対する厳重な抑止策としても効果的である。
【００６４】
また、ケース蓋部材６０と一体的に蓋側封印部１３０を閉止方向に相対移動させたときに、封印シールカッタ１４０の平坦部１４４（破断突起非形成部）が封印空間１０１内でＩＣタグ封印シール１２０に当接して退避位置側に付勢されてＩＣタグ封印シール１２０の破断を回避するように揺動変位し、ＩＣタグ封印シール１２０と離間したときに自重によってケース蓋部材６０の開放方向から見てＩＣタグ封印シール１２０と重なる破断位置に揺動変位するように構成されることで、特別な作動手段を必要とせずに封印シールカッタ１４０を退避位置と破断位置との間で揺動変位させることができるため、意図しない不作動や誤作動によって封印シールカッタ１４０がＩＣタグ封印シール１２０を押圧破断する事態を回避できるとともに、より簡素化された構造とすることが可能である。
【００６５】
さらに、本体側封印部１１０にＩＣタグ封印シール１２０が貼着される凸状の台座部が形成され、この台座部にケース蓋部材６０のスライド移動方向（開放方向）に延びて封印シールカッタ１４０が当該開放方向に相対移動したときに破断突起が通過可能な凹状のシール破壊用溝が形成されることで、封印シールカッタ１４０が蓋側封印部１３０とともに開放方向に相対移動したときに、シール破壊用溝１１４が破断突起１４３の通過路となるため、破断突起１４３は台座部１１３と干渉して折損することなくＩＣタグ封印シール１２０を確実に破壊しながらシール破壊用溝１１４を通過することができる。
【００６６】
次に、ケース封印部の第２の実施形態について、図２４〜図２７を参照して以下に詳しく説明する。ここで、図２４はケース封印部２００を取り出して示す分解斜視図、図２５は上記ケース封印部２００を構成する本体側封印部を示す斜視図、図２６はケース封印部２００を構成する蓋側封印部を図２４の矢印XXVI−XXVIに沿って示す断面図、図２７は蓋側封印部のロック部を示す要部断面図である。なお、本実施形態のケース封印部２００は、前述した第１実施形態のケース封印部１００における本体側封印部および蓋側封印部の構成のみが異なり、他の構成は同様であるため同一部位に同一番号を付して重複説明を省略する。また、本実施形態でも、便宜的に図２４に示す矢印の方向をそれぞれ前後、左右、上下方向と規定して説明するが、本発明のケース封印構造がこの方向により規定されるものではない。
【００６７】
ケース封印部２００は、ケース本体部材５０に一体的に繋がって形成された本体側封印部２１０と、ケース蓋部材６０に一体的に繋がって形成された蓋側封印部２３０とを主体に構成される。本体側封印部２１０および蓋側封印部２３０は、ケース本体部材５０にケース蓋部材６０が図３に示すように閉止された状態で互いに近接対向するようになっており、この対向状態において本体側封印部２１０と蓋側封印部２３０との間に封印空間２０１が画成される。なお、本体側封印部２１０および蓋側封印部２３０は、それぞれケース本体部材５０およびケース蓋部材６０に一体的に繋がって構成されているが、図２４〜図２７においては、本体側封印部２１０および蓋側封印部２３０を切り離した状態でこれらのみを取り出して示す。
【００６８】
本体側封印部２１０は、矩形ブロック状に形成された本体側ボディ２１１がケース本体部材５０に一体的に繋がって構成されており、この本体側ボディ２１１には後面側に開口するＬ字状のスリットＳが形成されている。このスリットＳは、交差部Ｓ１２から互いに直交する方向に延出した第１スリット部Ｓ１及び第２スリット部Ｓ２からなり、後述する封印シールカッタ２５３の移動を許容するための通過路となる。スリットＳは、本体側ボディ２１１の長手方向（上下方向）に延びる第１スリット部Ｓ１が当該ボディ２１１の内側で終端し、これに直交して短手方向に延びる第２スリット部Ｓ２が左側の側面で開放されている。
【００６９】
本体側ボディ２１１の上下の側面部には、凹状のガイド溝２１３，２１３が左右方向に延びて形成され、本体側ボディ２１１の後面側における第１スリット部Ｓ１の側方には、後方に向かって突出する凸状の突起部２１４が形成されている。また、本体側ボディ２１１の後面側にはＩＣタグ封印シール１２０を貼り付けるための平坦面（図２４および図２５において破線で示す領域であり、以下においてはこの領域を「貼着部」と称する）が形成され、この貼着部２１５を上下に分断するようにして第２スリット部Ｓ２が左右方向に延在している。なお、この貼着面２１５に貼り付けられる封印シールは図１３に例示したＩＣタグ封印シール１２０に限定されず、他の形態の封印シールを適用しても構わない。
【００７０】
一方、蓋側封印部２３０は、後壁２３１Ｂと、この後壁２３１Ｂを囲んで前方に延びる上下および左側方の側壁２３１Ｕ，２３１Ｄ，２３１Ｌとを有し、全体として前面および右側面が開放した矩形箱状をなす蓋側ボディ２３１をベースとして構成されており、蓋側ボディ２３１の内寸が本体側ボディ２１１の外寸よりも一回り大きく形成されることで、蓋側封印部２３０内に本体側封印部２１０がちょうど収まるようになっている。
【００７１】
蓋側ボディ２３１内において上下に対向する側壁２３１Ｕ，２３１Ｄには、本体側封印部２１０のガイド溝２１３に係合するガイドリブ２３３，２３３が直線状に延びて形成されており、このように両者が係合することで、本体側封印部２１０に対して蓋側封印部２３０が正確に位置合わせされて、後述の封印シールカッタ２５３がスリットＳ内を正確に通過することが可能になる。本体側封印部２１０に蓋側封印部２３０が装着された状態で、本体側封印部２１０に貼着されたＩＣタグ封印シール１２０に正対する後壁２３１Ｂには、このＩＣタグ封印シール１２０を破断（切断）するためのカッティング機構２５０が備えられている。
【００７２】
カッティング機構２５０は、蓋側ボディ２３１の後壁２３１Ｂに固設された支持部材２５１と、この支持部材２５１に揺動自在に軸支された封印シールカッタ２５３と、封印シールカッタ２５３を図２６に示す矢印Ｄ方向（時計回り方向）に付勢するトーションバネ２５６と、封印シールカッタ２５３を後壁２３１Ｂに平行な姿勢（図２６では水平姿勢）で保持するスライド部材２５７とを備えて構成される。
【００７３】
封印シールカッタ２５３は、支持部材２５１に一体的に設けられた軸部２５２を中心として揺動自在に枢結されたカッター保持具２５４と、このカッター保持具２５４に保持された金属製のカッター刃２５５とを備え、カッター刃２５５を後壁２３１Ｂ側に退避させた位置（図２６においてカッター刃２５５を実線で示す位置であり、以下において「退避位置」と称する）と、カッター刃２５５を封印空間２０１の略中央で前後方向に張り出す位置（図２６においてカッター刃２５５を破線で示す位置であり、以下において「破断位置」と称する）との間で揺動変位自在に構成されている。カッター刃２５５としては公知の刃具類と同様な構造が用いられ、長手方向側縁の切刃部２５５ａ（図２９を参照）を蓋側ボディ２３１における左側方の側壁２３１Ｌに向けた姿勢でカッター保持具２５４に取り付けられている。
【００７４】
トーションバネ２５６は、所定のバネ線材を円筒状に巻回してなり、その両端の脚部２５６ａ，２５６ｂが支持部材２５１の軸部２５２回りに相反する方向（離間する方向）に変位されて荷重を受けるようになっている。このトーションバネ２５６は、その巻回された部分に軸部２５２を挿入させた状態で、一方の脚部２５６ａ（不動端）が支持部材２５１に係止され、他方の脚部２５６ｂ（可動端）がカッター保持具２５４に係止されており、これら各脚部２５６ａ，２５６ｂが離間する方向に変位した状態（両脚部のなす角度が１８０°の状態）、すなわち上述の退避位置で保持されている。そのため、このトーションバネ２５６に生じる付勢力（捩りトルク）を利用して、切断部材２５３が矢印Ｄ方向（時計回り方向）に常時付勢される。なお、トーションバネ２５６の自由角度（自由状態で両脚部がなす角度）を９０°に設定することで、トーションバネ２５６が自由状態のときにカッター刃２５５を破断位置に変位させることができる。
【００７５】
スライド部材２５７は、蓋側ボディ２３１の後壁２３１Ｂに設けられ左右方向（図２６における紙面直交方向）に延びる一対のスライドレール２５８，２５８に嵌合しており、このスライドレール２５８に沿って左右方向に移動自在である。このスライド部材２５７は、一端にカッター刃２５５の刃先を当接係合させて封印シールカッタ２５３の揺動を規制するための斜面２５７ａを有しており、スライドレール２５８の始端側（図２６における手前側）に位置した状態でカッター刃２５５を斜面２５７ａで受け止めて、封印シールカッタ２５３を退避位置で保持するようになっている。
【００７６】
蓋側ボディ２３１の後壁２３１Ｂにおいて退避状態のカッター保持具２５４と前後方向に重なる箇所には、内部の封印空間２０１側に開口する孔部２５９が穿設されており、この孔部２５９に破断位置へ揺動変位した封印シールカッタ２５３を当該位置でロック保持するためのロック部２６０が設けられている。
【００７７】
ロック部２６０は、孔部２５９の底面によって一端が係止されたコイルバネ２６１と、コイルバネ２６１の他端が係止されこのコイルバネ２６１によって孔部２５９から脱出する方向へ常時付勢される規制体２６２とを備えて構成され、封印シールカッタ２５３が退避位置に保持されているときには、コイルバネ２６１は孔部２５９内で圧縮状態であり、規制体２６２はカッター保持具２５４に当接して孔部２５９内にほぼ隠蔽されている。一方、スライド部材２５７を終端側（図２６における奥行側）に移動させて、スライド部材２５７とカッター刃２５５とを離間させると、切断部材２５３がトーションバネ２５６の付勢力によって軸部２５２を中心として矢印Ｄ方向（時計回り方向）に揺動して破断位置に位置し、規制体２６２が孔部２５９からカッター保持具２５４の基端部の脇へ突出することにより、カッター保持具２５４が支持部材２５１と規制体２６２との間で挟み込まれた状態になり、これにより封印シールカッタ２５３はいずれの方向への揺動も制止されて破断位置でロック保持されることになる。
【００７８】
続いて、このように構成されるケース封印部２００に関し、ケース本体部材５０にケース蓋部材６０を取り付けるときの作動を、図２８および図２９を追加参照して説明する。ここで、図２８はケース本体部材５０にケース蓋部材６０を取り付けるときの、ケース封印部２００における封印シールカッタ２５３の動きを示す模式図、図２９はケース本体部材５０からケース蓋部材６０を取り外すときの、ケース封印部２００における封印シールカッタ２５３の動きを示す模式図である。
【００７９】
なお、このときには、本体側封印部２１０において、第２スロット部Ｓ２を隠蔽するように、本体側ボディ２１１の貼着面２１５にＩＣタグ封印シール１２０を前もって貼着（接着接合）しておく。このときＩＣタグ封印シール１２０のアンテナ線１２３が第２スリット部Ｓ２と交差するようにし、封印シールカッタ２５３の通過路中にアンテナ線１２３が横断した状態としておく。
【００８０】
そして、ケース本体部材５０へのケース蓋部材６０の取り付けを行うときに、ケース封印部２００においては以下のように作動する。まず、ケース蓋部材６０をケース本体部材５０に対して左方に若干ずらした位置で後方からケース本体部材５０を覆うように閉止するときに、本体側封印部２１０に対して蓋側封印部２３０が若干左方にずれた状態で本体側封印部２１０と前後に重なり合う。この状態からケース蓋部材６０をケース本体部材５０に対して右方向（閉止方向）にスライド移動させるのであるが、蓋側封印部２３０がケース蓋部材６０を一体となって右方向へ相対移動されると、蓋側封印部２３０の開口部２３２から本体側封印部２１０が入り込んでいく。このとき、本体側封印部２１０のガイド溝２１３に沿って蓋側封印部２３０のガイドリブ２３３が通過する。この状態では、封印シールカッタ２５３はスライド部材２５７により退避位置に保持されているため、カッター刃２５５がＩＣタグ封印シール１２０に接触するおそれがない。
【００８１】
さらにケース蓋部材６０を右方向に移動させてケース本体部材６０と前後に重なる位置に到達したところで、蓋側封印部２３０が本体側封印部２１０とちょうど前後に重なる位置（互いの左端側面が整合する位置）に位置し、不正開放防止機構７０（ロック部材８０）によりケース本体部材５０とケース蓋部材６０とを結合させるのであるが、ケース封印部２００においては、本体側封印部２１０の突起部２１４が蓋側封印部２３０のスライド部材２５７に当接しこのスライド部材２５７をスライドレール２５８の終端側に押動していく。そうすると、カッター刃２５５とスライド部材２５７の斜面２５７ａとの当接が解除され、トーションバネ２５６の付勢力によって封印シールカッタ２５３が軸部２５２を中心として円弧を描くように矢印Ｄ方向（時計回り方向）に揺動する。このとき、図２８に示すように、本体側封印部２１０にはカッター刃２５５の通過路となるスリットＳが設けられており、カッター刃２５５の揺動軌跡に対応して第１スリット部Ｓ１が形成されているため、カッター刃２５５はこの第１スリット部Ｓ１を通過しながら退避位置から破断位置に揺動することができる。このように封印シールカッタ２５３の揺動移動のための通過路が第１スリット部Ｓ１として確保されているため、カッター刃２５５が揺動移動中に本体側ボディ２１１に接触して折損する事態が回避される。また、封印シールカッタ２５３が破断位置へと揺動変位するのに対して、内部の封印空間２０１においては本体側ボディ２１１の表面で露出された状態のＩＣタグ封印シール１２０がカッター刃２５５に接触して破断されるおそれもない。
【００８２】
こうしてカッター刃２５５が破断位置に至ると、コイルバネ２６１の付勢力によって規制体２６２が後壁２３１Ｂの孔部２５９から封印空間２０１に突出して、カッター保持具２５４を支持部材２５１との間で挟み込んだ状態にし、これにより封印シールカッタ２５３は揺動が規制されたロック状態（破断位置）で静止保持される。
【００８３】
以上の説明から分かるように、ケース本体部材５０にケース蓋部材６０を閉止させると、不正開放防止機構７０によりケース本体部材５０とケース蓋部材６０とが係合して閉止状態に保持され、これにより対向配置された本体側封印部２１０および蓋側封印部２３０の内部（封印空間２０１）において本体側封印部２１０の貼着部２１５に貼り付けられたＩＣタグ封印シール１２０が外部に対して非露出状態で保持される。ここでＩＣタグ封印シール１２０は、上述のようにＩＣタグ１２２およびアンテナ線１２３を有しており、本体側封印部２１０および蓋側封印部２３０の内部に保持された状態のままで、アンテナ線１２３を介して無線によりＩＣタグ１２２に記憶された各種情報（例えば、パチンコ機ＰＭに関する情報、主制御基板３２の識別情報等）を外部からケース蓋部材６０を開放することなく、読み取り可能である。
【００８４】
次に、このようにケース本体部材５０にケース蓋部材６０が閉止保持された状態からケース蓋部材６０を開放させる場合について説明する。ケース本体部材５０からケース蓋部材６０を取り外すには、不正開放防止機構７０におけるケース蓋部材６０と蓋側係合部位６７との間を繋ぐ連結部６１をニッパ等の工具を用いて切断し、本体側係合部５７と係合連結された状態の蓋側係合部６７をケース蓋部材６０から切り離す。その結果、ケース本体部材５０とケース蓋部材６０との連結は断たれ、且つケース蓋部材６０をケース本体部材５０に対して左方向にスライド移動させる（係止壁部６５を係止突起５４から抜脱する位置に移動させる）ことで、ケース蓋部材６０をケース本体部材５０から取り外すことができる。
【００８５】
このように主基板ケースＢＣを開放させるためにケース蓋部材６０をケース本体部材５０に対して左方向にスライド移動させたときに、ケース封印部２００においては、蓋側封印部２３０に設けられた封印シールカッタ２５３のカッター刃２５５によって本体側封印部２１０に保持されたＩＣタグ封印シール１２０が破断されるようになっており、これについて以下に説明する。
【００８６】
ケース本体部５０とケース蓋部材６０とが閉止保持された状態では、封印シールカッタ２５３は破断位置に保持され、カッター刃２５５はスリットＳの交差部Ｓ１２に遊挿された状態であり、この状態から蓋側封印部２３０をケース蓋部材６０と共に左方向に移動させると、蓋側封印部２３０には封印シールカッタ２５３が装着されているので、カッター刃２５５も一体となって左方向に移動する。このとき、カッター刃２５５の通過路となる第２スリット部Ｓ２はカッター刃２５５の移動方向に対応して同方向に延びており、この第２スリット部Ｓ２を横断するようにしてＩＣタグ封印シール１２０が貼着されている。よって、この封印シールカッタ２５３の破断位置においては、蓋側封印部２３０のスライド移動方向（ケース蓋部材６０の開放方向）から見て、カッター刃２５５とＩＣタグ封印シール１２０とが重なった状態となっている。
【００８７】
その結果、このように蓋側封印部２３０と一体的に封印シールカッタ２５３を移動させると、カッター刃２５５が当該スライド移動方向（開放方向）に沿ってＩＣタグ封印シール１２０を確実に破断しながら第２スリット部Ｓ２を通過する。このようにＩＣタグ封印シール１２０を破断すれば、ＩＣタグ封印シール１２０そのものを破壊できなくてもアンテナ線１２３を破断することになり、ＩＣタグ１２２が保有する情報が読み取り不能になるため、これにより不正アクセスの痕跡を残存させることができるとともに、ＩＣタグ封印シール１２０を再生不能な程度に破壊する（不正に再使用できなくする）ことが可能である。
【００８８】
なおこのとき、封印シールカッタ２５３はロック部２６０によって破断位置でロック保持されているため、ＩＣタグ封印シール１２０を破断しているときに受ける切断抵抗によって、カッター刃２５５が横振れ等の挙動を起こして適切にＩＣタグ封印シール１２０を破断できなくなるのが防止される。
【００８９】
そして、ケース蓋部材６０と共に蓋側封印部２３０をそのまま更に左方向にスライド移動させていけば、カッター刃２５５が第２スリット部Ｓ２を通過しつつＩＣタグ封印シール１２０を完全に破断して第２スリット部Ｓ２の左方の開放端から脱出することになり、蓋側係合部６７の係止壁部６５が本体側係合部５７の係止突起５４から抜脱する所定位置に達したところで、ケース蓋部材６０を後方に移動させることにより、ケース蓋部材６０がケース本体部材５０から取り外される。
【００９０】
以上、第２の実施形態に係るケース封印部２００によれば、本体側封印部２１０と蓋側封印部２３０との間の封印空間２０１内において、本体側封印部２１０にＩＣタグ封印シール１２０が貼着され、蓋側封印部２３０に封印シールカッタ２５３が揺動自在に装着されて、ケース本体部材５０からケース蓋部材６０を開放するために本体側封印部２１０に対して蓋側封印部２３０を開放方向に相対移動させたときに、封印シールカッタ２５３が蓋側封印部２３０とともに開放方向に相対移動されて本体側封印部２１０に貼着されたＩＣタグ封印シール１２０に当接してこれを破断するように構成されることで、ＩＣタグ封印シール１２０を破壊することなく主基板ケースＢＣを開放することができない構造となるため、主基板ケースＢＣに対する不正アクセスの痕跡を残存させることが可能であるとともに、ＩＣタグ封印シール１２０が不正に再使用されることを確実に防止できる。従って、不正行為の予防および早期発見に寄与することができる。
【００９１】
また、従来では本体側封印部および蓋側封印部の境界に跨ってＩＣタグ封印シールが貼り付けられこれを外方から包囲するように封印シールカバーが装着される構成が多用されているが、本実施形態では、このような外付けの封印シールカバーを設けることなく、本体側封印部２１０と蓋側封印部２３０とだけでＩＣタグ封印シール１２０を外部に対して非露出状態で保持する封印空間２０１が形成されているため、部品点数の削減による製造コストの低減およびケース全体の小型軽量化を図ることも可能である。特に、主基板ケースＢＣを構成する部品点数の増加は不正行為の隠蔽を招来したり、不正行為の発見を遅延させたりする要因ともなり兼ねないため、不正行為に対する厳重な抑止策としても効果的である。
【００９２】
これまで本発明の好ましい実施形態について説明してきたが、本発明の範囲はこれに限定されるものではない。例えば、上述の実施形態では、単一の封印シールカッタによりＩＣタグ封印シールを破断する構成を例示して説明したが、これに限定されるものではなく、封印シールカッタを複数設けて構成してもよく、また、複数の封印シールカッタによって同時にあるいは時間差でＩＣタグ封印シールを破断するものでもよい。
【００９３】
例えば、上述の第２実施形態においては、単一の封印シールカッタ２５３によりＩＣタグ封印シール１２０を切断する構成を例示して説明したが、複数の封印シールカッタ２５３によりＩＣタグ封印シール１２０を切断する構成としてもよい。これによれば、ＩＣタグ封印シール１２０をより確実に切断することが可能になる。特に、図３０に示すように、封印空間２０１内の破断位置において一列に並ぶ３つ以上の封印シールカッタ２５３，２５３，…を各々独立して揺動変位自在に設けて、互いに隣接する封印シールカッタ２５３の退避位置と破断位置との間での揺動方向を逆方向とし、その揺動方向が互い違いとなるように構成することが好ましい。すなわち、互いに隣接する封印シールカッタ２５３，２５３において、一方の封印シールカッタ２５３の退避位置への揺動方向（図３０において矢印Ｅ方向）が、他方の切断部材２５３では破断位置への揺動方向となるようにする。このように構成することで、例えば、封印空間２０１内に、封印シールカッタ２５３の列方向片側もしくは両側（左右方向）から不正部材２９９をそれぞれ侵入させて、破断位置に揺動変位された封印シールカッタ２５３をＩＣタグ封印シールから離間する方向（すなわち退避方向）へ揺動させてＩＣタグ封印シールを破断することなく本体側封印部２１０から蓋側封印部２３０を離脱させようとしても、複数の封印シールカッタ２３０の揺動方向が互い違いに逆方向に設定されているため、全ての封印シールカッタ２５３を各々の退避位置側へ同時に揺動させることはできない。従って、このようなケース封印部に対する不正アクセスを効果的に防止して、ＩＣタグ封印シールが不正に剥がされて再使用されるのをより確実に防止することが可能になる。
【００９４】
また、上述の実施形態では、本体側封印部にＩＣタグ封印シールを設け、蓋側封印部に封印シールカッタを設けた場合を例示して説明したが、これに限定されるものではなく、これとは反対に、蓋側封印部にＩＣタグ封印シールを設け、本体側封印部に封印シールカッタを設けて構成してもよい。
【００９５】
また、上述の第１実施形態では、封印シールカッタ１４０の切断突起１４３として、先端１４３ａが鋭角状に形成されて直線状に延びる刃先を持つ形態を例示して説明したが、これに限定されるものではなく、串状の破断突起や、周方向に複数の切れ刃を持つ筒形状の破断突起などであってもよく、封印シール（ＩＣタグ封印シール１２０）を切断可能なものであれば、適宜選択して採用することが可能である。さらに、ケースを閉止するときに、封印シールカッタ１４０の平坦部１４４がＩＣタグ封印シール１２０に当接したときに、封印シールカッタ１４０の重みにより当該封印シール１２０が押圧破断されるのを確実に防止するためにも、封印シールカッタの形状、大きさ、材質等は、封印シールの機械的強度との関係で適宜に設定されることが好ましい。
【００９６】
また、上述の第２実施形態において、本体側封印部２１０にスリットＳを穿設した構成を例示したが、スリットはカッター刃の全長や揺動半径などに応じて適宜な形状・寸法に設定されていればよく、カッター刃２５５の通過路として機能を果たすものであれば上述の形態に限定されない。第１実施形態におけるシール破壊用溝１１４についても同様である。
【００９７】
また、上述の実施形態において、ＩＣタグ封印シール１２０を本体側封印部１１０，２１０の外表面（台座部１１３の外表面、貼着部２１５）に貼り付けているが、封印シールカッタ１４０，２５３によって破断されているときに、その切断抵抗によってＩＣタグ封印シール１２０が本体側封印部１１０，２１０から剥がれるのを防止するために、ＩＣタグ封印シール１２０による破断部分（ＩＣタグ封印シール１２０においてシール破壊用溝１１４またはスリットＳを横断する部分）を除く領域を外方から覆うように密着可能なガイド部を設けてもよい。これにより、ＩＣタグ封印シール１２０は本体側封印部１１０，２１０において貼着面とガイド部との間で挟み込まれた状態となり、大きな切断抵抗によっても剥がれ難くなる。
【００９８】
また、上述の実施形態において、封印シールカッタ（シール破断部材）１４０，２５３を軸１４１，２５２を中心として揺動させることで、この封印シールカッタ１４０，２５３をケース開放方向から見てＩＣタグ封印シール１２０と重なる破断位置に変位させているが、これに限定されるものではなく、例えば、封印シールカッタをケース開放方向（スライド移動方向）に対して直交する方向に直線移動（図１１における上下動など）させる構成であってもよい。
【００９９】
また、上述の実施形態において、封印シールカッタの自重やトーションバネを利用して封印シールカッタを破断位置に常時付勢しているが、これに限定されず、コイルバネや板バネ、その他の付勢手段を適用してもよい。
【０１００】
なお、以上においては、本発明に係るケース封印構造をパチンコ機の主基板ケース（主制御基板ユニット）に適用した例を説明したが、これに限定されるものではなく、演出制御基板ユニットに構成される基板ケースや、払出制御基板ユニットに構成される基板ケースなどに適用してもよく、更には、パチンコ機以外の遊技機、例えばスロットマシンの制御基板ケースや、その他の種々のケースにも適用することができる。
【符号の説明】
【０１０１】
ＰＭ    パチンコ機
ＢＣ    主基板ケース（ケース）
３２    主制御基板
４０    主制御基板ユニット
５０    ケース本体部材（第１ケース部材）
５７    本体側係合部
６０    ケース蓋部材（第２ケース部材）
６７    蓋側係合部
７０    不正開放防止機構
８０    ロック部材
１００  ケース封印部（第１実施形態）
１０１  封印空間
１１０  本体側封印部（第１封印部、一方の封印部）
１１３  台座部
１１４  シール破壊用溝
１２０  ＩＣタグ封印シール（封印シール）
１３０  蓋側封印部（第２封印部、他方の封印部）
１４０  封印シールカッタ（シール破断部材）
１４３  破断突起
１４４  平坦部（破断突起非形成部）
２００  ケース封印部（第２実施形態）
２０１  封印空間
２１０  本体側封印部（第１封印部、一方の封印部）
２３０  蓋側封印部（第２封印部、他方の封印部）
２５３  封印シールカッタ（シール破断部材）
【図１】
2012110564.tif 000003
【図２】
2012110564.tif 000004
【図３】
2012110564.tif 000005
【図４】
2012110564.tif 000006
【図５】
2012110564.tif 000007
【図６】
2012110564.tif 000008
【図７】
2012110564.tif 000009
【図８】
2012110564.tif 000010
【図９】
2012110564.tif 000011
【図１０】
2012110564.tif 000012
【図１１】
2012110564.tif 000013
【図１２】
2012110564.tif 000014
【図１３】
2012110564.tif 000015
【図１４】
2012110564.tif 000016
【図１５】
2012110564.tif 000017
【図１６】
2012110564.tif 000018
【図１７】
2012110564.tif 000019
【図１８】
2012110564.tif 000020
【図１９】
2012110564.tif 000021
【図２０】
2012110564.tif 000022
【図２１】
2012110564.tif 000023
【図２２】
2012110564.tif 000024
【図２３】
2012110564.tif 000025
【図２４】
2012110564.tif 000026
【図２５】
2012110564.tif 000027
【図２６】
2012110564.tif 000028
【図２７】
2012110564.tif 000029
【図２８】
2012110564.tif 000030
【図２９】
2012110564.tif 000031
【図３０】
2012110564.tif 000032